(57)【特許請求の範囲】
【請求項１】
紙葉類を取り扱う紙葉類取扱装置であって、
紙葉類の表面情報を読み取る表面情報読取部と、
紙葉類の集積回路に記憶された電気情報を読み取る電気情報読取部と、
前記表面情報読取部により読み取った表面情報と、前記電気情報読取部により読み取った電気情報と、の少なくとも一方を用いて鑑別する処理部とを有し、
前記処理部は、前記表面情報に基づいて鑑別した紙葉類の種類又は額面に応じて、前記電気情報読取部により電気情報を読み取るか否かを切り換えることを特徴とする紙葉類取扱装置。
【請求項２】
前記処理部は、紙葉類の鑑別に前記電気情報を用いない回数に上限を有することを特徴とする請求項１に記載の紙葉類取扱装置。
【請求項３】
回線を介して前記電気情報読取部で読み取った電気情報を上位局に発信し、発信した電気情報に対応する紙葉類の情報を受信して前記処理部へ伝える照会部を有することを特徴とする請求項１又は２に記載の紙葉類取扱装置。
【請求項４】
前記処理部は、紙葉類の鑑別に電気情報を用いるとき、前記照会部から伝えられた紙葉類の情報と、前記表面情報に基づく鑑別結果とを比較することを特徴とする請求項３に記載の紙葉類取扱装置。
【請求項５】
前記表面情報読取部は、表面情報として紙葉類の印刷面における種々の光学情報を取得する分光部を含み、
前記電気情報読取部は、紙葉類の前記集積回路に電磁波を照射して起電させ、起電した集積回路から発信された電波を受信するアンテナを含むことを特徴とする請求項１から４のいずれか１項に記載の紙葉類取扱装置。
【請求項６】
利用者から紙葉類を受け入れる受入部と、
紙葉類を搬送する搬送部と、
前記受入部で受け入れた紙葉類を順に保管する一時保管部と、
前記一時保管部に保管された紙葉類を収納する収納部と、
利用者へ紙葉類を排出する排出部とを有することを特徴とする請求項１から５のいずれか１項に記載の紙葉類取扱装置。
【請求項７】
前記受入部、前記電気情報読取部、前記表面情報読取部、前記一時保管部の順で前記搬送部の搬送路に配置していること特徴とする請求項６に記載の紙葉類取扱装置。
【請求項８】
前記一時保管部に前記電気情報読取部を設置することを特徴とする請求項６に記載の紙葉類取扱装置。
【請求項９】
紙葉類を取り扱う紙葉類取扱装置の処理部が実行する紙葉類鑑別方法であって、
紙葉類の表面情報を読み取るステップと、
前記表面情報を読み取るステップの後に、前記表面情報に基づいて鑑別した紙葉類の種類又は額面に応じて、紙葉類の集積回路に記憶された電気情報を読み取るか読み取らないかを切り換えるステップと、
電気情報を読み取ることに切り換えた場合、電気情報を読み取るステップと、
読み取った表面情報または電気情報を用いて鑑別するステップと、を有する紙葉類鑑別方法。
【請求項１０】
前記表面情報読取部により読み取った表面情報を基に紙葉類の第１鑑別をする第１ステップと、
前記第１鑑別で推定された紙葉類の種類が、前記処理部に設定されている運用モードで集積回路の電気情報を用いた鑑別を要求するものであるか否かを判断する第２ステップと、
前記第２ステップの結果、紙葉類が集積回路の電気情報を用いた鑑別を要求するものであったときには、その紙葉類について前記電気情報読取部により読み取った電気情報を基に紙葉類の第２鑑別を実施する第３ステップと、
前記第２ステップの結果、紙葉類が集積回路の電気情報を用いた鑑別を要求するものでなかったときには、その紙葉類を正券と判断する第４ステップと、を有することを特徴とする請求項９に記載の紙葉類鑑別方法。
【請求項１１】
前記第１ステップにおける前記第１鑑別の結果と前記第３ステップにおける前記第２鑑別の結果とを比較して、整合するときには紙葉類を正券と判断し、不整合のときには不正券と判断する第５ステップと、を有することを特徴とする請求項１０に記載の紙葉類鑑別方法。
【請求項１２】
前記電気情報読取部から紙葉類に電磁波を照射するステップと、
前記電気情報読取部に紙葉類の集積回路からの応答があったか否かを判断するステップと、
前記電気情報読取部に紙葉類の集積回路からの応答があったときに、応答された情報を基に上位局へ照会するステップと、
前記第１鑑別により判断された紙葉類の種類と、上位局への照会して得た紙葉類の種類とを比較し、一致している場合に紙葉類を正券と判断するステップと、を有することを特徴とする請求項１１に記載の紙葉類鑑別方法。
【請求項１３】
前記処理部で設定されている運用モードの種類を判断するステップと、
前記アンテナに紙葉類の集積回路からの応答がなかったとき、且つ、前記運用モードの種類が紙葉類の第１種類について電気情報に基づく紙葉類の鑑別を不要とするものであるとき、前記第１鑑別の結果で紙葉類が第１種類と鑑別されているか否かを判断し、前記第１鑑別の結果で紙葉類が第１種類と鑑別されていない場合には紙葉類を不正券と判断するステップと、を有することを特徴とする請求項１２に記載の紙葉類鑑別方法。
【請求項１４】
前記処理部は、前記電気情報読取部により前記受入部で受け入れた紙葉類の電気情報を読み取り、
前記一時保管部に保管された紙葉類のうち、前記電気情報読取部で読み取った電気情報に応じて正券と判断された紙葉類を前記搬送部で前記収納部へ搬送し、前記電気情報読取部で読み取った電気情報に応じて不正券と判断された紙葉類を前記搬送部で前記排出部へ搬送することを特徴とする請求項６記載の紙葉類取扱装置。
【請求項１５】
前記一時保管部による一時保管は、前記表面読取部での読取結果で正券と判断された紙葉類についてされ、
前記処理部は、前記表面読取部での読取結果で正券と判断されなかった紙葉類を前記排出部へ前記搬送部で搬送することを特徴とする請求項１４に記載の紙葉類取扱装置。
【請求項１６】
前記電気情報読取部によって正券と判断された紙葉類の額面の合計を表示するディスプレイと、
前記ディスプレイに表示した金額についての承認入力を受けるキーとを有し、
前記処理部による前記収納部への搬送は、前記キーへの承認入力を受けた後に実行されることを特徴とする請求項１４又は１５に記載の紙葉類取扱装置。
【請求項１７】
紙葉類を取り扱う紙葉類取扱装置であって、
紙葉類の表面情報を読み取る表面情報読取部と、
紙葉類の集積回路に記憶された電気情報を読み取る電気情報読取部と、
紙葉類の鑑別に、前記表面情報読取部で読み取った表面情報と共に、前記表面情報に基づいて鑑別した紙葉類の種類又は額面に応じて、前記電気情報読取部で読み取った電気情報を用いるか否かを切り換える処理部と、を有することを特徴とする紙葉類取扱装置。
【発明の詳細な説明】
【技術分野】
【０００１】
本発明は、紙幣や有価証券等の紙葉類を鑑別する装置や方法に関する。
【背景技術】
【０００２】
金融機関等で利用される自動取引装置や、一般の両替機や自動販売機には、紙幣や有価証券を鑑別する鑑別ユニットが搭載されている。
【０００３】
特に、特許文献１では、有価証券の偽造や改鼠を防ぐために、有価証券にＩＣチップを埋め込み、そのＩＣチップに記憶したＩＤ情報を非接触で読み取る読み取り手段と、読み取ったＩＤ情報を、未発券の有価証券を特定するＩＤ情報を格納した証券情報データベースに問い合わせて、有価証券の真偽を判定する判定手段を備え、判定手段の判定結果をもとに前記有価証券を発券手段により発券する技術を開示している。
【０００４】
【特許文献１】特開２００３−１７８１８５号公報
【発明の開示】
【発明が解決しようとする課題】
【０００５】
しかしながら、現状ではＩＣチップ付きの紙幣や有価証券等はほとんど流通していない。ここで、ＩＣチップを埋め込んだ有価証券や紙幣の流通を開始したとしても、利用者に十分に行き渡るまで時間がかかる。したがって、早過ぎるタイミングでＩＣチップの付いていない紙幣や有価証券等をＩＣチップが付いていないことだけを理由に不正と判断してしまうと、利用者に不便である。一方で、紙幣や有価証券等の鑑別の信頼度をより高めたるために、ＩＣチップを用いた鑑別をできるだけ早く採用したい、という要求もある。
【０００６】
また、ＩＣチップを用いた鑑別では、ＩＣチップを起電させ、その電気情報を発信させて、発信された情報を基にさらに上位局に問い合わせたりする場合があり、紙幣や有価証券等の表面（印刷や磁気）を用いた鑑別に比べて時間がかかる可能性がある。しかし、その時間を稼ぐために紙幣や有価証券等の搬送の速さを大きく落とすことは取引処理の遅延につながり利用者に不便となる。
【０００７】
本発明は、上記のように鑑別の信頼向上と利用者の利便性という互いに矛盾しかねない課題に着目し、その解決を図る。
【課題を解決するための手段】
【０００８】
上記の課題の解決のため、有価証券や紙幣の種類等によって、ＩＣチップによる鑑別を真正認定の要件とするか否かを切り換える手段を採用することで、例えば、ＩＣチップ付き紙幣の流通状況に応じて、高額な有価証券や紙幣についてのセキュリティを優先的に高くできる。
【０００９】
また、ＩＣチップによる鑑別に、時間がかかる場合があることも鑑みて、例えば、先にＩＣチップのＩＤ情報を読み取っておき、そのＩＤ情報をセンタに照会しつつ、センタに照会している間にＩＣチップ以外による鑑別結果を取得し、その鑑別結果と照会した結果とを比較することで、搬送速度を大きくは下げずに、ＩＣチップによる鑑別を利用して鑑別精度を向上する。
【発明の効果】
【００１０】
利用者の利便性に配慮しつつ、ＩＣチップの電気情報を用いた鑑別ができる。
【発明を実施するための最良の形態】
【００１１】
有価証券や紙幣等の紙葉類の例として千円札と万円札を用い説明する。千円札（万円札）には、印刷等のデザインがほほ共通しているものの、流通開始時期が異なるためにＩＣチップを有するものと有しないものとがあるとする。紙葉類の他の例には、五千円札等の紙幣（政府紙幣、銀行券、兌換紙幣、不換紙幣）、日本円以外の紙幣、手形、小切手、株券、債券、船荷証券、倉庫証券、貨物引換証、商品券といったもの等がある。また、鑑別ユニットを備えた装置として金融機関等で利用される自動取引装置（Automated Teller Machine= ＡＴＭ）、及び、それに内蔵される紙幣還流機構（Bill Recycle Module= ＢＲＭ）を用い説明する。還流とは、入金されて収納した紙幣を、その後出金にも用いることをいう。ただし、本発明において還流は必須の条件ではない。また、外観図やブロック図やフローチャートの各要素の取捨選択、組み替えも可能である。その他、本発明は、本実施形態にのみ限定して適用されるものではなく、種々の形態で実施可能である。
【００１２】
図１は、ＡＴＭ１の外観図である。図面の左手前が利用者側である。利用者への案内を表示するディスプレイ（表示部ともいう）２と、ボタンやタッチパネル等で利用者による表示部２の表示に従った操作入力を受けるキー（操作部ともいう）３と、紙幣を入出金する入出金口４とを有する。入出金口４の上部には、シャッタが設けられ、このシャッタの内側に紙幣を利用者が入れることを入金（受入）といい、このシャッタの内側から利用者に紙幣を取り出させることを出金（排出）という。
【００１３】
図２は、ＢＲＭ２０の機構図である。図面右が利用者側である。入出金口４の内部には中板２８が設けられ、その中板２８によって入金部と出金部とに区切られている。なお、入金部と出金部とが入出金口として一体になっておらず、別体であってもよい。ＢＲＭ２０は、入出金口４の他に、千円札や万円札等の金種や新旧型の区別等がある紙幣の種類や真偽を調べて判断する（測定値が基準を満たすことにより、そうであろうと推定することを含む、以下同じ）鑑別部２１と、鑑別部２１を通過した紙幣を順に保管し、且つ、順又は逆順に繰り出す機能を有する一時保管庫２２と、汚れていたり、旧型であったりして出金には用いない紙幣を収納するリジェクト庫２３と、出金に用いる千円札を収納する千円庫２４と、出金に用いる万円札を収納する万円庫２５と、搬送方向を切り換えるゲート２６ａ〜ｅと、紙幣をベルトやローラ等で挟んで搬送する搬送路２７とを有する。鑑別部２１は、紙幣の表面にある模様や磁気文字等の表面情報を読み取る表面情報読取部３０を有する。表面情報読取部３０は、紙幣の印刷面の模様等を可視光、赤外線、紫外線等の光学情報で見る分光部や、磁気インクを検出する磁気インク読取部を含む。また、リジェクト庫２３と千円庫２４と万円庫２５とを総称して紙幣収納庫ともいう。例として千円札用の千円庫２４と万円札用の万円庫２５を挙げたが、もちろん５千円札の紙幣収納庫の用意等も可能である。
【００１４】
ＢＲＭ２０は、特に集積回路（Integrated Circuit =ＩＣ）内部のメモリに記憶された電気情報を読み取るＩＣ読取部（電気情報読取部ともいう）２９を有する。ＩＣ読取部は、電磁波の照射・受信に用いるアンテナ、電磁波の照射を実行する照射部と、ＩＣからの応答を解析する受信部とを含む。ＩＣの内部メモリには、暗号化された固体識別（ＩＤ）情報等が電気情報（主としてデジタル情報）として記憶されている。特定波長・周期・振幅等を有する特殊な電磁波が照射されると、ＩＣは、その電磁波を用いてＩＣ内で起電し、記憶している情報を発信する。暗号化されている場合には、その解除をＩＣ内部で実行しても受信側で実行してもよい。なお、ＩＣは通常、半導体チップ上に形成されケースが被せられる（これをＩＣチップという）がこれに限られない。また、アンテナから電磁波を照射する非接触型の読取ではなく、接触型の電極を用いた読取でもよい。ただし、実施例及び変形例の説明では、非接触型のＩＣチップを例に用いる。
【００１５】
ＩＣ読取部２９の設置は、鑑別部２１の内部に限られない。例えば２９ａのように入金部付近、一時保管庫２２の内部２９ｃ等に少なくとも一つ設置することができる。２９ａや２９ｂのように、表面情報読取部３０よりも入金部側（入金部から紙幣が搬送される場合の上流側、つまり、入金部に受け入れられた紙葉類が前記搬送部によって搬送されるとき、入金部、ＩＣ読取部２９ａとｂ、表面情報読取部３０、一時保管庫２２の順で配置）にＩＣ読取部を設置した場合、表面情報読取部３０による紙幣の読み取りに先駆けてＩＣの電気情報を読み取ることができる。このようにすることで、読み取った電気情報の上位局への照会（後述）等をいち早く実行することが可能になる。特に、紙幣の搬送速度がそれほど速くはないような入金部付近にＩＣ読取部を設けた場合には、紙幣の搬送速度が比較的ゆっくりであるため、ＩＣへの電磁波の照射とその応答（電気情報の読取自体）に時間がかかる場合でも、読み取りが可能になると共に、表面情報の読み取りに先駆けて電気情報を読み取ることができる利点がある。一時保管庫２２の内部にＩＣ読取部２９を設置した場合（２９ｃ）にも、紙幣の搬送速度が比較的ゆっくりになる（実質的に搬送が抑止される）のでＩＣの電気情報の読み取りが比較的容易である。
【００１６】
図３は、ＡＴＭ１の機能ブロック図である。プロセッサ３６（処理部や制御部ともいう）と、メモリ３１（主記憶部ともいう）と、制御プログラムや各種設定が格納されているＨＤＤ３２（=Hard Disk Driveだがこのような磁気ディスクに限られない、補助記憶部ともいう）と、上位局と回線を介して接続する送受信部（インタフェース、照会部ともいう）３４と、搬送路２７のベルトやローラを駆動する搬送モータ等を含む搬送部３５とを有する。上位局は、サーバやデータベース等を有して種々の情報を管理している。
【００１７】
図４は、ＨＤＤ３２に記憶されているテーブル４０の例であり、ＩＣチップの電気情報を用いた鑑別（ＩＣ鑑別、第２鑑別ともいう）の利用の要否をモード毎に定義しているものである。テーブル４０には、鑑別モードＡ〜Ｃを例として挙げている。鑑別モードＡ４１は、千円と万円の両方についてＩＣ鑑別を要求するモードで、ＩＣチップ付き紙幣が市場に十分に流通したときに利用することを想定している。鑑別モードＢ４２は、比較的高額の万円券についてはＩＣ鑑別を要求する一方で、比較的定額の千円券についてはＩＣ鑑別を要求しないモードで、ＩＣチップ付き紙幣が流通してきたものの、依然として移行期であり、ＩＣチップのない紙幣の利用も多いときに利用することを想定している。鑑別モードＣ４３は、千円札と万円札の両方についてＩＣ鑑別を要求しないモードで、ＩＣ付き紙幣の流通前や移行初期での利用を想定している。
【００１８】
これらのモードを、送受信部３４を介した上位局からの指示や操作部３を介した係員からの指示入力によってプロセッサ３６が切り換えて設定する。設定されているモードは、ＨＤＤ３２とメモリ３１の少なくとも一方に記憶される。このように、ＩＣ鑑別の要否を金種毎に切り換えることで、ＩＣチップ付き紙幣の流通状況に合わせて、ＩＣ鑑別の要求が高い紙幣から順にＩＣ鑑別を利用した精度の高い鑑別ができる一方で、真正であるにもかかわらず全てのＩＣチップ無し紙幣を利用できないという利用者にとっての重度の不便をかけないよう工夫している。
【００１９】
以下、図１〜図４を基にして紙幣を鑑別する装置の制御について、実施例を説明する。なお、図５と図６において、高額紙幣と低額紙幣は、それぞれ図４において万円札と千円札を意味する。モードの区分けをより増やした場合には、それによってフローチャートのステップを適宜変更することになる。
【００２０】
実施例では、先に紙幣のＩＣチップの有無をチェックし、その後、モードによって通常鑑別を利用する。
【００２１】
図５は、プロセッサ３６が、メモリ３１やＨＤＤ３２に記憶された設定データやプログラムを利用しつつＡＴＭ１やＢＲＭ２０を制御する処理を示すフローチャートである。
【００２２】
利用者によって、入出金口４に紙幣が入金されたことを検知するとシャッタを閉じ、入出金口４から搬送路２７に紙幣を繰り出し、ゲート２６ｂを経由して搬送部３５で鑑別部２２に搬送する（Ｓ５０１）。
【００２３】
このとき、鑑別モードＣ４３が設定されている場合（Ｓ５０２でＹｅｓ）に、通常鑑別のみを実行する（Ｓ５１８）。ここで通常鑑別（第１鑑別ともいう）とは、紙幣のＩＣチップの電気情報を利用しない鑑別を意味し、例えば、紙幣の表面にある模様や磁気文字等の表面情報を表面情報読取部３０により読み取って用いる鑑別を含む。通常鑑別で正と判断された場合（Ｓ５１９でＹｅｓ）には、ＩＣチップを利用した鑑別をせずに鑑別を終了し、他の入金紙幣があるか否かを判断する（Ｓ５１０）。通常鑑別で正でない（不正である）と判断した場合（Ｓ５１９でＮｏ）には、その紙幣を入金リジェクト券として、鑑別部２１からゲート２６ａを介して入出金口４の出金部に送る（Ｓ５１７）。入出金口に入金された紙幣の鑑別が終了すると（Ｓ５１０でＹｅｓ）、入出金口４のシャッタを開いて利用者に入金リジェクト紙幣を返却する。
【００２４】
また、テーブル４０において鑑別モードＣ４３でない場合には、ＩＣ読取部２９から電磁波を照射する（Ｓ５０２でＮｏ、Ｓ５０３）。
【００２５】
ＩＣ読取部２９で、ＩＣチップからの応答を受信すると（Ｓ５０４でＹｅｓ）、通常鑑別を実行する（Ｓ５０５）とともに、受信したＩＣチップの情報を、送受信部３４を介して上位局（センタ）に照会する（Ｓ５０６）。ＩＣチップの情報だけで、紙幣の鑑別に必要な情報が得られるのであればこの照会は不要である。しかし、特に紙幣に漉き込むことのできるＩＣチップは比較的小さい。このため、その情報量がそれほど大きくなかったり、金種や紙幣番号といった任意の情報をＩＣチップの製造後に書き込むことのできる機能がなかったりする。この場合には、ＩＣチップ固有の番号（例えば製造番号）と関連付けて紙幣の情報を上位局で管理することが考えられ、ＩＣチップを用いた紙幣の鑑別のため上位局への照会が求められる。
【００２６】
上位局では、受信したＩＣチップの情報を基に、対応する紙幣の情報（金種、紙幣番号等）をデータベースで検索して、送受信部３４へ返信する。Ｓ５０５の鑑別結果が妥当であった場合（Ｓ５０７でＹｅｓ）には、その鑑別結果と、上位局から返信を受けた紙幣の情報とを比較し、それらが一致するか否かを判断する（Ｓ５０８）。Ｓ５０８の比較の結果、一致した場合には正券であると鑑別するが、不一致の場合には正券でない（つまり、不正券である）と鑑別する。このようにＩＣチップを用いて鑑別の信頼性を高めている。
【００２７】
ＩＣチップからの応答を受信できなかったとき、モードＢであるかを判断する（Ｓ５１４）。モードＢであったときには、続いて通常鑑別を実施する（Ｓ５１５）。Ｓ５１５の通常鑑別の結果、低額紙幣であった場合には正券と判断する（Ｓ５１６でＹｅｓ）。これは、紙幣が高額のものについては十分な鑑別を実施したい一方で、低額のものについては利用者の利便を考慮し、通常鑑別で正当な評価が得られれば受け入れることとしたものである。ただし、無制限に受け入れるわけではない。例えば、利用者一人毎、一日毎、一回の取引毎等に受け入れる枚数の上限を設け、その上限枚数を超えた場合には、自動的にモードＢからモードＡに変更する等の対処を講じることでセキュリティを高めることができる。これにより、比較的低額な有価証券や紙幣について、ＩＣチップを鑑別に利用しないと判断する場合にも、その回数等に制限を設けることで、低額な有価証券や紙幣についても偽造等による被害を抑える。なお、Ｓ５１４でＮｏのときには、全ての紙幣についてＩＣ鑑別を要求するモードＡであるため、ＩＣ鑑別ができなかった紙幣は通常鑑別をせずに入金リジェクトとする。また、低額紙幣と判断されなかった場合（Ｓ５１６でＮｏ）にも不正券と判断して入金リジェクトとする。
【００２８】
入出金口４に入金された紙幣を鑑別し終わった場合には、ＩＣ及び通常鑑別の結果で不正と判断されなかった紙幣の合計金額等を表示部２に示し、利用者による操作部３への確認入力を待つ（Ｓ５１１）。確認入力を受けると（Ｓ５１２でＹｅｓ）、一時保管庫２２からゲート２６ａを介して、金種に応じて千円庫２４や万円庫２５に収納する（Ｓ５１３）。また、ＩＣチップがない紙幣はリジェクト庫２３に収納することで回収してしまうことで、還流されて再び市場に流通することを防ぎ、ＩＣチップ付き紙幣への移行を促進するようにすることもできる。
【００２９】
なお、Ｓ５０５において上位局へ照会した場合、通信回線の状況等によってはその返答に時間のかかることも予想される。このようなとき、鑑別部２１に紙幣を残したまま照会結果を待つのでは、搬送が遅くなってしまう。そこで、Ｓ５０７において通常鑑別が妥当（Ｙｅｓ）であった場合にはその紙幣を、鑑別部２１から一時保管庫２２に送り、メモリ３１では保管する紙幣の順番と鑑別部２１による通常鑑別の結果とを対応させて記憶しておく。そして、上位局からの返信を受けると、メモリ３１に記憶している通常鑑別の結果と比較すると良い。比較の結果、不一致と判断された場合には、その紙幣を、Ｓ５１０で入金紙幣の鑑別が終了したと判断した後に一時保管庫２２から入出金口４に送って利用者に返却する。このとき、利用者に入金金額の承認（Ｓ５１２）の後に、一致と判断された正券を一時保管庫２２から繰り出して紙幣収納庫２３〜２５に収納する（Ｓ５１３）ときに、不一致と判断された紙幣を一時保管庫２２から繰り出して入出金口４に搬送するようにしてもよい。
【００３０】
ただし、このようにすると利用者は入金金額の承認（Ｓ５１２）の前に入金リジェクトされた紙幣の存在及び枚数等を知ることができない。つまり、ＩＣ鑑別で不正券と判断された一時保管庫２２に保管されている紙幣は入金金額に算入されないところ、Ｓ５１２の段階では入金リジェクトされていないため利用者に把握されていないため、入金金額が正しいのか否かの判断をすることができない。そこで、入金リジェクトされた紙幣の存在及び枚数をＳ５１１にて表示することも良い。更に望ましくは、Ｓ５１２の前に、一時保管庫２２にあるＩＣ鑑別と通常鑑別の結果が一致した紙幣を紙幣収納庫２３〜２５に一旦仮収納しつつ、不一致だった紙幣を入出金口４に送る。このようにすることで、利用者は、入金金額の承認をする前に入金リジェクトされた紙幣そのものを見たり触ったりすることができる。なお、Ｓ５１２の前に仮収納していた場合に、Ｓ５１２で利用者から入金金額が非承認の入力がされたときには、仮収納した紙幣を紙幣収納庫から繰り出して入出金口４に送って利用者に返却する（Ｓ５１７）。
【００３１】
この実施例においては、ＩＣ読取部２９を図２の２９ａや２９ｂのように、通常鑑別をするための表面読取部３０よりも搬送上流側（入金部から入金するとき）に設置しておくことが望ましい。なぜなら、ＩＣチップの電気情報を取得していち早くＳ５０５を実行できるからである。しかし、レイアウトに限られずソフトウェアによって本実施例を達成することもできる。つまり、表面情報読取部３０によって紙幣の表面情報を取得してメモリに保存しておき、保存した情報を基にしてＩＣ読取部２９の読取後にＳ５０６を実行しても良い。また、表面情報の先行取得に留まらず、Ｓ５０６の通常鑑別をＳ５０３に先駆けて実行し、通常鑑別の結果をメモリに保存しておき、保存した結果を用いてＩＣ鑑別後にＳ５０７とＳ５０８とを実行するようにしてもよい。
【００３２】
上記実施例では、先に紙幣のＩＣチップの有無をチェックし、その後、モードによって通常鑑別を利用することとした。次に、この実施例に対し、まず通常鑑別を実施してその後、モードによって紙幣のＩＣチップによる鑑別を利用する変形例を説明する。
【００３３】
図６は、プロセッサ３６が、メモリ３１やＨＤＤ３２に記憶された設定データやプログラムを利用しつつＡＴＭ１やＢＲＭ２０を制御する処理を示すフローチャートである。
【００３４】
入金紙幣が、搬送部３５により入出金口４から鑑別部２１へ搬送されたとき（Ｓ６０１）、変形例では、まず通常鑑別を実施する。
【００３５】
ここで、鑑別結果が妥当でない場合（Ｓ６０２でＮｏ）には、鑑別部２１から一時保管庫２２ではなく、入出金口４へ送る（図５のＳ５１７の関連記載も参照）。
【００３６】
鑑別結果が妥当である場合で、且つ、テーブル４０のモードがＣ４３に設定されている場合には、そのまま次の紙幣についての通常鑑別を実施するだけだが、モードＣでない場合でなく且つモードＢでない（ステップ６０４でＮｏ、且つ、Ｓ６０５でＮｏ、つまり、モードＡである）場合には、ＩＣ読取部２９から電磁波を照射する（Ｓ６０６）。
【００３７】
また、モードＢの場合で、且つ、通常鑑別の結果が低額紙幣でなく高額紙幣の場合（ステップ６０５でＹｅｓ、且つ、Ｓ６１０でＹｅｓ）には、電磁波を照射する（Ｓ６０６）。
【００３８】
通常鑑別の結果をふまえて、ＩＣ認識部で照射したにもかかわらず、ＩＣチップからの応答を受信できないときには、不正券であると判断し、入金リジェクトする（Ｓ６０９でＮｏ）。続く処理は、図５で説明したＳ５１０〜５１３と同様である。
【００３９】
なお、ＩＣチップへ電波の照射した場合に応答を得るのに比較的長時間かかり、鑑別部２１を紙幣が通過する搬送速度を十分には上げることができない場合等には、図２の２９ｃのようにＩＣ読取部２９を一時保管庫２２に設けることも有効である。なぜなら、一時保管庫２２に保管するため、一時保管庫２２における紙幣の搬送速度は、（特に保管のために停止したときに）鑑別部２１における紙幣の搬送速度よりも遅くなるので、ここで電磁波を照射すれば応答を得る時間を稼ぐことができるという利点があるためである。特に本変形例は、通常鑑別の結果に応じてＩＣ鑑別を利用するので表面情報読取部３０よりも搬送下流側にＩＣ読取部２９を設置するレイアウトに適している。
【００４０】
上述した実施例は、この変形例に対して次の利点がある。すなわち、ＩＣチップの情報を上位局に照会する場合に時間がかかる場合を考慮して、上位局への発信を早くできる。また、モードＢの場合には、ＩＣチップからの応答がない場合には、低額紙幣の通常鑑別に特化して、例えば千円券の表面情報の取得に絞ることができ、より効率の良い通常鑑別が可能になる。
【００４１】
一方、変形例は、実施例に対して次の利点がある。すなわち、先に通常鑑別をしたうえで電磁波の照射をするか否かを判断できるので、照射が不要にもかかわらず照射してしまうことを防ぐ。例えば、ＩＣ読取部２９を一時保管庫２２に設けたときには、一時保管庫２２は、鑑別部２１よりも入出金口４から見て搬送下流にあるため、鑑別部２１による通常鑑別の結果を踏まえて電磁波を照射すべきか否かを判断する時間的な余裕があるので有効である。
【００４２】
実施例と変形例とで、主にＩＣ鑑別と通常鑑別の先後関係の違いを説明した。しかし、ＩＣ鑑別と通常鑑別の実行の先後に限られるものではない。例えば、ＩＣ鑑別と通常鑑別とをモードにかかわらず実施することとして、それぞれの結果をメモリに保存し、どちら又は両方の結果を利用するか否かをテーブル４０のモードに応じて切り換えるようにすることもできる。この場合、ＩＣ情報の読取と、表面情報の読み取りとが同時であってもよい。ＩＣ鑑別の結果を先に利用する場合が実施例であり、通常鑑別の結果を先に利用するのが変形例である。さらに、ＩＣ鑑別の結果と通常鑑別の結果の利用に特別な先後関係を持たせず、それらの結果を比較して整合するか否かを判断するようにすることも可能である。
【００４３】
なお、以上の実施例と変形例では、ＩＣの応答結果をセンタ照会しているところセキュリティは劣るが、通常鑑別の結果が妥当（正券と判断）であり、且つ、ＩＣチップからの応答があったことに基づいてセンタ照会をせずに最終的な鑑別結果を正券とみなす簡便な方法も考えられる。
【図面の簡単な説明】
【００４４】
【図１】自動取引装置（ＡＴＭ）の外観図。
【図２】紙幣還流機構（ＢＲＭ）の断面図。
【図３】自動取引装置の機能ブロック図。
【図４】鑑別モード選択テーブル。
【図５】ＩＣ鑑別後に通常鑑別を利用するフローチャート。（実施例）
【図６】通常鑑別後にＩＣ鑑別を利用するフローチャート。（変形例）
【符号の説明】
【００４５】
１    自動取引装置（ＡＴＭ）
２    ディスプレイ
３    タッチパネル
４    シャッタ付き入出金口
２０  紙幣還流装置（ＢＲＭ）
２１  鑑別部
２２  一時保管庫
２３〜２５  紙幣収納庫
２９  ＩＣ読取部
３０  表面情報読取部
３６  プロセッサ
【図１】
0004613013.tif 000002
【図２】
0004613013.tif 000003
【図３】
0004613013.tif 000004
【図４】
0004613013.tif 000005
【図５】
0004613013.tif 000006
【図６】
0004613013.tif 000007